(57)【要約】      （修正有）【課題】ペットのボディーラインにスムーズに対応できるペット用クシを提供する。【解決手段】その一面に複数の櫛歯が設けられている櫛本体１０と、把持端部２２と該把持端部の反対側にある取付端部２４とを有する棒状に形成され、且つ、前記取付端部近くが前記櫛本体の前記一面の反対側にある背面１２に回動可能に枢接されている操作棒２０と、前記櫛本体と前記操作棒との間に、該操作棒における枢接箇所の把持端部側と該櫛本体の背面とを通常時に前記回動の方向に沿って近接させることができるように配置されている付勢手段３０とを備えていることを特徴とする。【選択図】図１
0003163780.tif 000002
【実用新案登録請求の範囲】
【請求項１】
その一面に複数の櫛歯が設けられている櫛本体と、
把持端部と、前記把持端部の反対側にある取付端部と、を有する棒状に形成され、且つ、前記取付端部に近接する部分が前記櫛本体の前記一面の反対側にある背面に回動可能に枢接されている操作棒と、
前記櫛本体と前記操作棒との間に、該操作棒における枢接箇所の把持端部側と該櫛本体の前記背面とを、通常時に回動の方向に沿って近接させることができるように配置されている付勢手段と、
を備えていることを特徴とするペット用クシ。
【請求項２】
前記付勢手段は、圧縮コイルばねであって、前記操作棒における前記取付端部に近接する部分と前記櫛本体における前記背面の前記取付端部が臨んでいる箇所との間に介在していて、前記取付端部及び前記背面を離間させる方向に付勢力を与えていることを特徴とする請求項１に記載のペット用クシ。
【請求項３】
前記操作棒における前記取付端部に近接する部分と前記櫛本体における前記背面との枢接は、枢軸によってなされており、
且つ、前記付勢手段は、ねじりばねであって、前記枢軸に巻き付いていることを特徴とする請求項１に記載のペット用クシ。
【請求項４】
前記ねじりばねの一端が前記操作棒における前記取付端部に当接しており、他端が前記櫛本体における前記背面に当接していることを特徴とする請求項３に記載のペット用クシ。
【請求項５】
前記櫛本体における前記背面には、突出台が設置されており、
前記操作棒における前記取付端部に近接する部分と前記櫛本体における前記背面との枢接は、該取付端部と前記突出台とを貫通している枢軸によってなされており、
且つ、前記付勢手段は、ねじりばねであって、その両端部がそれぞれ前記取付端部及び前記突出台に挿し込まれるように、前記枢軸に巻き付いていることを特徴とする請求項１に記載のペット用クシ。
【請求項６】
前記付勢手段は、引張りコイルばねであって、前記操作棒における前記枢接箇所の把持端部側と該櫛本体の前記背面との間に、前記枢接箇所の前記把持端部側及び前記背面を通常時に回動の方向に沿って引き寄せることができるように配置されていることを特徴とする請求項１に記載のペット用クシ。
【請求項７】
前記引張りコイルばねの一端が前記操作棒における前記枢接箇所の把持端部側に固定され、他端が前記櫛本体における背面の前記操作棒における取付端部が臨んでいる箇所に近接して固定されていることを特徴とする請求項６に記載のペット用クシ。
【請求項８】
前記引張りコイルばねの一端が前記操作棒における前記枢接箇所の把持端部側に、他端が前記櫛本体の背面における前記枢接箇所の把持端部側に固定されていることを特徴とする請求項６に記載のペット用クシ。
【請求項９】
前記付勢手段は、リーフスプリングであって、前記操作棒における前記取付端部に近接する部分と前記櫛本体における前記背面の前記取付端部が臨んでいる箇所との間に介在していて、前記取付端部及び前記背面を離間させる方向に付勢力を与えていることを特徴とする請求項１に記載のペット用クシ。
【考案の詳細な説明】
【技術分野】
【０００１】
本考案は、ペット用クシに関し、特に、ペットのボディーラインにスムーズに対応できるペット用クシに関する。
【背景技術】
【０００２】
従来のペット用クシは、その把持部付きの操作棒２が、図１２に示されているように、櫛歯１０１が形成されている櫛本体１に固定されている（下記特許文献１参照）ので、その櫛本体１の形状がどのように形成されていようとも、体型によって様々な曲線を有するペットのボディーラインに対応することはできない。
【先行技術文献】
【特許文献】
【０００３】
【特許文献１】台湾新型専利第０５９６５２号明細書
【考案の概要】
【考案が解決しようとする課題】
【０００４】
本考案は、前記問題点に鑑みてなされたもので、ペットのボディーラインにスムーズに対応できるペット用クシの提供を目的とする。
【課題を解決するための手段】
【０００５】
上記目的に達成すべく、本考案は、その一面に複数の櫛歯が設けられている櫛本体と、把持端部と前記把持端部の反対側にある取付端部とを有する棒状に形成され、且つ、前記取付端部に近接する部分が前記櫛本体の前記一面の反対側にある背面に回動可能に枢接されている操作棒と、前記櫛本体と前記操作棒との間に、該操作棒における枢接箇所の把持端部側と該櫛本体の前記背面とを通常時に回動の方向に沿って近接させることができるように配置されている付勢手段と、を備えていることを特徴とするペット用クシを提供する。
【０００６】
前記ペット用クシにおいて、前記付勢手段としては、圧縮コイルばねが採用できる。その場合、前記付勢手段としての圧縮コイルばねは、前記操作棒における取付端部に近接する部分と前記櫛本体における背面の前記取付端部が臨んでいる箇所との間に介在して、前記取付端部及び前記背面を離間させる方向に付勢力を与えるように配置されることが好ましい。
【０００７】
前記ペット用クシにおいて、前記付勢手段としては、ねじりばねも採用できる。その場合、前記操作棒における取付端部に近接する部分と前記櫛本体における背面との枢接は、枢軸によってなされ、且つ、前記付勢手段としてのねじりばねは、前記枢軸に巻き付き、特に、その互いに対抗する両端における一端が前記操作棒における取付端部に当接し、他端が前記櫛本体における背面に当接するように配置構成されることが好ましい。
【０００８】
前記ペット用クシにおいて、前記付勢手段としてねじりばねが採用されている場合、前記櫛本体における背面には、突出台が設置されており、前記操作棒における取付端部に近接する部分と前記櫛本体における背面との枢接は、該取付端部と前記突出台とを貫通している枢軸によってなされており、また、前記付勢手段としてのねじりばねは、その両端部がそれぞれ前記取付端部及び前記突出台に挿し込まれるように前記枢軸に巻き付いていることが、具体例として挙げられる。
【０００９】
前記ペット用クシにおいて、前記付勢手段としては、引張りコイルばねも採用できる。その場合、前記付勢手段としての引張りコイルばねは、前記操作棒における枢接箇所の把持端部側と該櫛本体の背面との間に、前記枢接箇所の前記把持端部側及び前記背面を通常時に前記回動の方向に沿って引き寄せることができるように配置されていること、一端が前記操作棒における枢接箇所の把持端部側に固定され、他端が前記櫛本体における背面の前記操作棒における取付端部が臨んでいる箇所近くに固定されるように配置構成されること、且つ、一端が前記操作棒における枢接箇所の把持端部側に固定され、他端が前記櫛本体の背面における枢接箇所の把持端部側に固定されるように構成されることが好ましい。
【００１０】
上記ペット用クシにおいて、前記付勢手段としては、リーフスプリングも採用できる。その場合、前記付勢手段としてのリーフスプリングは、前記操作棒における取付端部に近接する部分と前記櫛本体における背面の前記取付端部が臨んでいる箇所との間に介在して、前記取付端部及び前記背面を離間させる方向に付勢力を与えるように構成されることが好ましい。
【考案の効果】
【００１１】
上記構成により、本考案のペット用クシは、操作棒が回動可能に櫛本体に枢接されている上、操作棒と櫛本体との間に付勢手段が取り付けられているので、使用されるとき、その櫛本体は、操作棒に特別な仕掛けがなくても、その移動だけで自ずとペットのボディーラインに対応して自在に姿勢変更でき、どんな体型のペットにも手軽に使用され得る。
【図面の簡単な説明】
【００１２】
【図１】本考案のペット用クシの第１の実施形態の使用状態を示す側面図である。
【図２】本考案のペット用クシの第１の実施形態の使用状態を示す側面図である。
【図３】本考案のペット用クシの第２の実施形態の使用状態を示す側面図である。
【図４】本考案のペット用クシの第２の実施形態の使用状態を示す側面図である。
【図５】本考案のペット用クシの第３の実施形態の構成を示す部分分解図である。
【図６】本考案のペット用クシの第４の実施形態の構成を示す側面図である。
【図７】本考案のペット用クシの第４の実施形態の構成を示す上面図である。
【図８】本考案のペット用クシの第５の実施形態の使用状態を示す側面図である。
【図９】本考案のペット用クシの第５の実施形態の使用状態を示す側面図である。
【図１０】本考案のペット用クシの第６の実施形態の使用状態を示す側面図である。
【図１１】本考案のペット用クシの第６の実施形態の使用状態を示す側面図である。
【図１２】従来のペット用クシの構成を示す側面図である。
【考案を実施するための形態】
【００１３】
以下、図１〜図１１を参照しながら、本考案のペット用クシの各好ましい実施形態について説明する。
【００１４】
図１及び図２は、本考案のペット用クシの第１の実施形態の使用状態を示す側面図である。
【００１５】
図１及び図２に示されているように、本考案のペット用クシは、下面１１に複数の櫛歯１３が設けられている櫛本体１０と、把持端部２２と該把持端部２２の反対側にある取付端部２４とを有する棒状に形成され、且つ、取付端部２４に近接する部分が櫛本体１０の下面１１の反対側にある背面１２に回動可能に枢接されている操作棒２０と、櫛本体１０と操作棒２０との間に、該操作棒２０における枢接箇所２１の把持端部２２側と該櫛本体の背面１２とを通常時に回動の方向に沿って近接させるように配置されている（図１に示されている状態参照）付勢手段３０と、を備えている。
【００１６】
更に詳しく説明すると、本考案のペット用クシの第１の実施形態において、付勢手段３０は、圧縮コイルばねであって、操作棒２０における取付端部２４と櫛本体１０における背面１２の取付端部２４が臨んでいる設置凹部１２１との間に介在するように取り付けられているので、常に取付端部２４と背面１２とを離間させる方向に付勢力を与えている。
【００１７】
図を更に詳しくみると、櫛本体１０における背面１２には、突出台１４が設置されており、操作棒２０における枢接箇所２１と櫛本体における背面１２との枢接は、該枢接箇所２１と突出台１４とを貫通している枢軸１４２によってなされている。
【００１８】
また、図１に示されているように、通常時において、付勢手段３０が取付端部２４と背面１２とを離間させるので、操作棒２０の取付端部２４側には、背面１２と当接できる箇所（当接部２３）があり、即ち当接部２３が背面１２に当たっているとき、取付端部２４と背面１２とは、最大距離の間隔をおいて離れている。
【００１９】
この実施形態のペット用クシは、櫛本体１０の櫛歯１３が設けられている下面１１をペットの身体に当てながら操作棒２０で移動させると、櫛本体１０が、ペットのボディーラインに応じて姿勢を変更する。即ち、図１に示されている通常時の状態である取付端部２４と背面１２とが最大に離れている状態から、図２に示されている使用時の状態である取付端部２４と背面１２とが付勢手段３０に対抗しながら、必要に応じて接近する状態へと自在に変更できる。
【００２０】
図３及び図４は、本考案のペット用クシの第２の実施形態の使用状態を示す側面図である。
【００２１】
図３及び図４に示されているように、本考案のペット用クシの第２の実施形態は、第１の実施形態と類似する構成を有しており、以下に、その相違点について詳しく説明する。図示されているように、この第２の実施形態では、櫛歯１３の形状が第１の実施形態と異なるほか、その突出台１４に隣接して、操作棒２０が回動したときに操作棒２０の当接部２３の上部に当接される張り出しフランジ１８が配置されている。この実施形態では、櫛本体１０が、使用時に付勢手段３０に対抗しながら取付端部２４と背面１２とをなるべく接近させるように姿勢を変更すると、図４に示されているように、ある程度のところで張り出しフランジ１８により操作棒２０のそれ以上の回動が防止され、付勢手段３０を極端に圧縮しないように保護することができる。
【００２２】
図５は、本考案のペット用クシの第３の実施形態の構成を示す部分分解図である。図示されているように、この実施形態において、操作棒２０と櫛本体１０における背面１２との枢接は、枢軸１４２によってなされている。即ち、櫛本体１０における背面１２には、突出台１４が設置されており、枢軸１４２は、取付端部２４と突出台１４とを貫通しており、また、付勢手段としては、ねじりばね３０Ａが採用されており、このねじりばね３０Ａは、その両端部３２、３３がそれぞれ操作棒２０の枢接箇所２１及び突出台１４に挿し込まれるように枢軸１４２に巻き付いている。
【００２３】
図６は、本考案のペット用クシの第４の実施形態の構成を示す側面図である。図７は、この実施形態の上面図である。この実施形態において、付勢手段は、突出台１４の両端にそれぞれ差し込まれている枢軸１４２のそれぞれに巻き付いている２個のねじりばね６１を有していると共に、この２個のねじりばね６１は、いずれも、一端６３が櫛本体１０における背面１２に当接し、他端６２が、互いに接続されると共に、操作棒２０における取付端部に近接して形成されている当接ブロック５５に当接している。
【００２４】
図８、図９は、本考案のペット用クシの第５の実施形態の使用状態を示す側面図である。
図８及び図９に示されているように、本考案のペット用クシの第５の実施形態は、第２の実施形態と類似する構成を有しており、以下に、その相違点について詳しく説明する。図示されているように、この第５の実施形態では、櫛歯１３の形状が第２の実施形態と異なるほか、その付勢手段は、リーフスプリング７０であって、操作棒５０における取付端部５４に近接する部分と櫛本体４０における背面４２の取付端部５４が臨んでいる箇所との間に介在していて、取付端部５４及び背面４２を離間させる方向に付勢力を与えている。
【００２５】
図１０、図１１は、本考案のペット用クシの第６の実施形態の使用状態を示す側面図である。
【００２６】
図１０及び図１１に示されているように、本考案のペット用クシの第６の実施形態は、第２の実施形態と類似する構成を有しており、以下にその相違点について詳しく説明する。図示されているように、この第６の実施形態では、櫛歯１３の形状が第２の実施形態と異なるほか、その付勢手段は、引張りコイルばね８０であって、一端が操作棒５０における枢接箇所の把持端部側に固定され、他端が櫛本体４０における背面４２の操作棒５０における把持端部側に固定されている。この構成により、操作棒５０における枢接箇所の把持端部側と該櫛本体４０の背面との間で、枢接箇所の把持端部側及び背面を通常時に回動の方向に沿って引き寄せることができるように配置されている。
【００２７】
ちなみに、この実施形態において、引張りコイルばね８０の他端を取付端部５４が臨んでいる箇所に近接して固定することも同じ効果を発揮することができる。
【符号の説明】
【００２８】
１０  櫛本体
１１  下面
１２  背面
１３  櫛歯
１４  突出台
１４２  枢軸
１８  張り出しフランジ
２０  操作棒
２１  枢接箇所
２２  把持端部
２３  当接部
２４  取付端部
３０  付勢手段
３２、３３  端部
３０Ａ  ねじりばね
４０  櫛本体
４２  背面
５０  操作棒
５４  取付端部
５５  当接ブロック
６１  ねじりばね
６２、６３  端部
７０  リーフスプリング
８０  引張りコイルばね
【図１】
0003163780.tif 000003
【図２】
0003163780.tif 000004
【図３】
0003163780.tif 000005
【図４】
0003163780.tif 000006
【図５】
0003163780.tif 000007
【図６】
0003163780.tif 000008
【図７】
0003163780.tif 000009
【図８】
0003163780.tif 000010
【図９】
0003163780.tif 000011
【図１０】
0003163780.tif 000012
【図１１】
0003163780.tif 000013
【図１２】
0003163780.tif 000014